(57)【要約】  様々な態様が、下甲板（３１０）を有するフェリーを実現する。船体内の入口（１３０）は、入口ランプ（３１２）を介して下甲板に出入りするのを可能にする。入口は、水線よりも上方において、入口の水密ドアが不要になるのに十分な高さに配置されている。１つ以上の上甲板は、上甲板を上甲板入口に連結する場合がある上甲板アクセスランプを介して出入りされてもよい。埠頭（６０２）は、フェリー上の対応する複数の入口に整合するように構成された複数の積み込みプラットフォームを、通常は異なる高さに有していてもよい。
2016534921.tif 000002
【特許請求の範囲】
【請求項１】
舳先（１０３）を含む船首（１０２）と、トランサム（１０５）を含む船尾（１０４）とを有する船体（１０１）であって、左舷（１０６）と、右舷（１０７）と、前記左舷と前記右舷との間の船幅（１０８）と、基線（１１０）と、設計水線（１２０）と、前記基線と前記設計水線との間の喫水（１１５）とを有し、前記喫水は、４．５メートルよりも大きく、好ましくは５．８メートルよりも大きい、船体（１０１）と、
前記船体内の下甲板（３１０）と、
前記設計水線よりも上方の高さ（１４０）に配置された、前記船体内の下甲板入口（１３０）であって、前記高さ（１４０）は、少なくとも３メートル、好ましくは少なくとも４メートル、好ましくは少なくとも６メートルであり、かつ前記喫水の５０％よりも大きく、好ましくは８０％よりも大きい、下甲板入口（１３０）と、
好ましくは固定ランプであり、水平方向から１８度以下、好ましくは１１度以下、より好ましくは７度以下の勾配を有し、前記下甲板入口を前記下甲板に連結する下甲板入口ランプ（３１２）と、を有するフェリー（１００，２０２，２０４，３００，４００，５００，６００，７００）。
【請求項２】
前記船体は、前記下甲板入口と前記設計水線との間に位置する、乗物が出入りする密閉可能な出入口を有していない、請求項１に記載のフェリー。
【請求項３】
前記設計水線よりも上方の前記高さは、前記喫水の１００％よりも大きく、好ましくは１５０％よりも大きく、好ましくは２００％よりも大きい、請求項１または２に記載のフェリー。
【請求項４】
前記船幅は、１５メートルよりも大きく、好ましくは１８メートルであり、好ましくは４５メートルよりも小さく、好ましくは４０メートルよりも小さく、
前記下甲板入口は、前記フェリーに設計荷重が積み込まれ、傾斜角度（４０）での横揺れを受けるシミュレーション中に判定されたシミュレートされた水線に配置されるかまたはそれよりも上方に配置され、前記傾斜角度は、３０度から５０度の間であり、好ましくは３５度から４５度の間であり、好ましくは４０度である、請求項１から３のいずれか１項に記載のフェリー。
【請求項５】
前記下甲板入口のいかなる部分も、左舷および右舷から、前記船幅の１５％、好ましくは前記船幅の２０％、好ましくは前記船幅の２５％、好ましくは前記船幅の３０％である距離内には位置していない、請求項１から４のいずれか１項に記載のフェリー。
【請求項６】
前記下甲板入口は、前記舳先と前記トランサムの少なくとも一方に配置されている、請求項１から５のいずれか１項に記載のフェリー。
【請求項７】
好ましくは排水可能な甲板であり、前記下甲板よりも少なくとも４．４メートル上方に配置された少なくとも１つの第１の上甲板（３２０）と、
前記船体内の第１の上甲板入口（３２１）と、
好ましくは固定ランプであり、前記第１の上甲板入口を前記上甲板に連結する第１の上甲板入口ランプ（３２２）と、をさらに有する、請求項１から６のいずれか１項に記載のフェリー。
【請求項８】
少なくとも１つの入口が前記舳先に配置され、少なくとも別の入口が前記トランサムに配置されている、請求項７に記載のフェリー。
【請求項９】
前記舳先の入口は、前記水線よりも上方であって、前記トランサムの入口よりも高い位置に配置されている、請求項８に記載のフェリー。
【請求項１０】
前記船体内の第２の上甲板入口（３２１）と、
前記第２の上甲板入口を前記第１の上甲板に連結する第２の上甲板入口ランプ（３２２）と、をさらに有する、請求項７から９のいずれか１項に記載のフェリー。
【請求項１１】
前記第１の上甲板入口は、前記下甲板入口の左舷に配置され、前記第２の上甲板入口は、前記下甲板入口の右舷に配置されている、請求項１０に記載のフェリー。
【請求項１２】
前記下甲板入口は、少なくとも０．５ｍ、好ましくは１ｍ、好ましくは１．５ｍである垂直オフセット量（１３５）だけ、少なくとも１つの上甲板入口から離れている、請求項７から１１のいずれか１項に記載のフェリー。
【請求項１３】
前記下甲板入口は、前記上甲板入口よりも低い位置にある、請求項１２に記載のフェリー。
【請求項１４】
好ましくは排水可能な甲板であり、前記第１の上甲板よりも少なくとも４．４ｍ上方に配置された第２の上甲板と、
好ましくは固定ランプであり、前記第２の上甲板を前記船体内の前記第１の上甲板入口に連結する第２の上甲板入口ランプ（３３２）と、をさらに有する、請求項７から１３のいずれか１項に記載のフェリー。
【請求項１５】
好ましくは固定ランプであり、前記下甲板を少なくとも１つの上甲板に連結するアクセスランプ（３１４）をさらに有する、請求項７から１４のいずれか１項に記載のフェリー。
【請求項１６】
少なくとも１つの甲板上に、直径が１２ｍよりも大きく、好ましくは直径が１４ｍよりも大きい方向転換ゾーン（３３４）をさらに有し、前記方向転換ゾーンは、乗物が、好ましくはバックせずに乗船および下船するように入口を使用することを可能にするように形成されている、請求項１から１５のいずれか１項に記載のフェリー。
【請求項１７】
天然ガスによって駆動される機関（４１０）と、
トレーラ上の液化天然ガス（ＬＮＧ）燃料タンクを収容し、ＬＮＧを前記燃料タンクから前記機関に搬送するように構成された燃料補給ステーション（４２０）と、
前記燃料タンクを前記燃料補給ステーションに連結するように構成された、取外し可能なＬＮＧ燃料補給連結部（４３０）と、
前記燃料補給ステーションを少なくとも１つの甲板に連結する燃料補給ランプ（４４０）と、をさらに有する、請求項１から１６のいずれか１項に記載のフェリー。
【請求項１８】
前記燃料補給ランプは、前記甲板への前記入口に向かって移動するにつれて前記甲板から前記燃料補給ステーションに向かって上昇する、請求項１７に記載のフェリー。
【請求項１９】
乗物を、請求項７から１８のいずれか１項に記載のフェリーの前記下甲板入口まで搬送するように構成された第１の積み込みランプ（６１０）と、
乗物を、請求項７から１８のいずれか１項に記載のフェリーの前記上甲板入口まで搬送するように構成され、好ましくは前記第１の積み込みランプに隣接して配置されている第２の積み込みランプ（６２０）と、を有する埠頭。
【請求項２０】
乗物を、請求項１０から１７のいずれか１項に記載のフェリーの前記第２の上甲板入口ランプまで搬送するように構成された第３の積み込みランプ（６２０）をさらに有し、好ましくは、前記第３の積み込みランプは前記第１の積み込みランプに隣接して配置され、好ましくは、前記第２および第３の積み込みランプは、前記第１の積み込みランプの両側に配置されている、請求項１９に記載の埠頭。
【請求項２１】
埠頭に接岸されたフェリーへの乗物の積み込みおよび陸揚げを行うための埠頭（６０２）であって、
前記埠頭の下方の水位よりも、少なくとも３メートル、好ましくは少なくとも４メートル、好ましくは少なくとも６メートル上方である第１の高さに近位端（６１１）を有する第１の積み込みランプ（６１０）と、
前記第１の積み込みランプの前記近位端（６１１）に実質的に隣接して配置された近位端（６２１）を有する第２の積み込みランプであって、それによって、乗物が、前記第１の積み込みランプと前記第２の積み込みランプを同時に使用する場合がある、第２の積み込みランプ（６２０）と、を有し、
前記第１の積み込みランプの前記近位端と前記第２の積み込みランプの前記近位端は、少なくとも０．５ｍ、好ましくは少なくとも１ｍ、好ましくは少なくとも１．５ｍ、好ましくは少なくとも２ｍである垂直オフセット量（１３５）だけ垂直方向に互いにずれている、埠頭。
【請求項２２】
前記第１および第２の積み込みランプの前記近位端の少なくとも一方から、少なくとも０．５ｍ、好ましくは少なくとも１ｍ、好ましくは少なくとも１．５ｍである垂直オフセット量（１３５）だけ、垂直方向にずれている近位端を有する第３の積み込みランプ（６２０）をさらに有し、好ましくは、前記第３の積み込みランプの前記近位端は、前記第１および第２の積み込みランプの前記近位端の少なくとも１つに隣接する、請求項２１に記載の埠頭。
【請求項２３】
前記第１の積み込みランプの前記近位端と前記第２の積み込みランプの前記近位端は、前記第１の垂直オフセット量（１３５）だけずれており、前記第２の積み込みランプの前記近位端と前記第３の積み込みランプの前記近位端は、前記第２の垂直オフセット量（１３５）だけずれている、請求項２２に記載の埠頭。
【請求項２４】
前記第１の垂直オフセット量の値と前記第２の垂直オフセット量の値は、互いの５％以内である、請求項２３に記載の埠頭。
【請求項２５】
前記第１の垂直オフセット量の値と前記第２の垂直オフセット量の値は、０．５ｍよりも大きい値、好ましくは１ｍよりも大きい値、好ましくは２ｍよりも大きい値だけ互いに異なる、請求項２３に記載の埠頭。
【発明の詳細な説明】
【技術分野】
【０００１】
本発明は概ねＲｏＲｏフェリーに関する。
【背景技術】
【０００２】
車輪付きの乗物を輸送するように構成されたフェリーでは、「ロールオン／ロールオフ」アクセスができるようになっている。乗物（たとえば乗用車、トラック、バス、トレーラなど）は、自走して１つ以上の入口を介してフェリーに出入りしてもよく、そのようなフェリーはＲｏＲｏフェリーと呼ばれる。
【０００３】
大形のＲｏＲｏフェリーは、船幅が１５メートルよりも大きく、喫水が４メートルよりも大きいことが多い。乾舷（水線から、水が船体に浸入する可能性がある舷弧の最下点までの垂直方向距離）は、３メートルよりも大きい場合がある。大形のフェリーは通常、複数の甲板を有し、したがって、乗物はいくつかの甲板の上に積み込まれてもよい。
【０００４】
複数の甲板を組み込むことは難題（チャレンジ）である。復元力を向上させるために、貨物（および貨物が置かれる甲板）は一般に、最低予備浮力要件に従ってできるだけ低い位置に配置される。しかし、船体上の舷弧の最下点よりも下方に位置する下甲板は、浸水する場合がある。
【０００５】
上甲板からは海に排水してもよい。海に排水しない甲板（たとえば下甲板）は可浸甲板（floodable deck）と呼ばれることがある。水が可浸甲板に浸入する場合がある船体の最下点は、浸水点（downflooding point）と呼ばれることがある。可浸甲板および船体は、船内に内部「浴槽」を形成する場合があり、（船体によって囲まれた）浸水点と可浸甲板との間の可浸容積（floodable volume）が、可浸「浴槽」の容積を表すことができる。浴槽に浸入する水は、何もしないと排水されない場合があり、様々な問題が生じる。そのような容積が大きい場合、浸水の結果として船が不安定になる（たとえば転覆する）ことがある。この可浸容積を最小限に抑えるために、従来のフェリーでは浸水点と可浸甲板との間の垂直方向距離を最小限（たとえば１．５メートル未満）に抑えており、それによって、「浴槽」に保持されてフェリーを不安定にする可能性のある水の最大量を減らす。
【０００６】
浸水は、船の故障または気象条件に関連することが多いので、規則（たとえば国際海事機関ＩＭＯの規則）が、耐浸水のための様々な要件（たとえば水線と浸水点との間の最小高さ）を規定している場合がある。直立した（upright）船の浸水点は傾いた船の浸水点とは異なる場合があるので、いくつかの試験（たとえば非損傷時復元性試験）では、船が傾いたときの浸水点と水線との間に最小距離が必要である。たとえば、ＩＭＯの損傷時復元性規則では、船が４０度傾いており、かつその設計荷重を輸送しているときに、浸水点が水面よりも低くならないことが必要であるとされている。そのような能力を試験するために一般にシミュレーションが用いられる。
【０００７】
いくつかの従来技術のフェリーは、フェリーの出入口を密閉する密閉可能なドアを有する。埠頭において、ドアが開き、乗物が自走して船舶に出入すること（roll on or off）が可能になる。ドアは、埠頭から離れる前に閉じられて水密にシールされる。水密なシールは、通常の条件下でも異常気象時にも水密性を実現しなければならない。シールは試験中（および傾きを含むシミュレーション時）に水密性を確保しなければならず、したがって、（たとえば４０度傾いたときに）浸水点が水位よりも上方に留まるように出入口の周囲を十分な範囲にわたって密閉しなければならない。そのようなドアおよびシールは高価であるとともに扱いにくい。
【０００８】
いくつかの従来技術のフェリーでは、上甲板からの可動ランプを介して下甲板への出入りが可能である。そのような装置は、特に大形のフェリーの場合には高価であるとともに操作が煩雑である。（たとえば事故の後には）損傷を受けた可動ランプが動かなくなって陸揚げができなくなることがある。特に、乗用車およびトラックに乗っている人が多い場合には、可動装置が危険をもたらすことがある。２つの甲板間を移動する（すなわち、上甲板または下甲板のいずれかに積み込むように配置できる）ランプは、各甲板に順次積み込みを行わなければならないので、積み込み時の「障害」になる場合がある。
【０００９】
改良したフェリーでは、水密ドアや扱いにくい内部機械を必要とせずに、複数の甲板に出入りすることが可能になり、関連するＩＭＯの規則を満たし、しかも十分な貨物積み込み能力が実現される（さらに好ましくは接岸速度と積み込み／陸揚げ速度の少なくとも一方または両方が改善される）。好ましくは、改良したフェリーでは、安全性および効率が向上するとともに、資本コストと運転コストの少なくとも一方または両方が既存のフェリーよりも安くなる。
【発明の概要】
【課題を解決するための手段】
【００１０】
様々な態様では、可浸甲板であってもよい下甲板を有するフェリーが提供される。フェリーは、下甲板よりも上方に１つ以上の上甲板を含んでいてよい。船体内の下甲板入口は、下甲板入口ランプを介して下甲板に出入りするのを可能にする。下甲板入口は、入口に対して水密なドアが不要になるように、水線の上方の十分に高い位置に配置されてもよい。いくつかの実施態様では、下甲板入口には、フェリーが損傷した状況を表す角度（たとえば４０度）だけ傾いたときに、シミュレートされた水線の下に位置する部分は存在しない。
【００１１】
フェリーは、各々が上甲板ランプを介して上甲板入口に連結されていてもよい１つ以上の上甲板を含んでいてよい。いくつかのランプは入口を共有し、いくつかのランプはそれ自体の入口を有している。上甲板および下甲板への入口ランプは、いくつかの実施形態では固定ランプである。複数の固定の入口ランプおよび入口は、上甲板および下甲板における高速の同時積み込み（または陸揚げ）を可能にでき、効率を向上させる。場合によっては、フェリーの一方の端部に複数の入口が配置されている。フェリーは、船首および船尾の所に入口を有していてよい。
【００１２】
好ましい実施態様では、フェリーは、下甲板と少なくとも２つの上甲板とを含む。固定の入口ランプが、甲板の各々に入口を連結し、乗物は下甲板および上甲板の上に同時に積み込みしてもよい。いくつかの実施態様では、フェリーは、前方および船尾の入口ランプを含み、前方および船尾の入口ランプの一方が積み込みに使用される（他方が陸揚げに使用される）。フェリーは、一方の端部（たとえば船尾または船首）に入口ランプを有していてよく、所与の甲板に至るいくつかのランプ（たとえば第１の船尾のランプおよび第２の船尾のランプ）を含んでいてよい。第１の船尾のランプが積み込みに使用されてもよく、第２の船尾のランプが（たとえば同時の）陸揚げを可能にする。第１および第２の船尾のランプは、並行して（たとえば両方のランプが同時に積み込みのために）使用されてもよい。一実施態様では、フェリーは、各々が複数のランプを有する前方および船尾の入口を有しており、各ランプは甲板に至る。
【００１３】
いくつかの実施態様は、異なる垂直方向レベルに近位端（すなわち埠頭に接岸されたフェリーに近い端部）を有する複数の積み込みランプを有する埠頭を含む。各近位端は、少なくとも０．５ｍの垂直方向距離だけずらされていてもよい。乗物は、対応する各高さにある（接岸されたフェリーに至る）入口に同時に積み込み（または陸揚げ）されてもよい。場合によっては、第１、第２、および第３の積み込みランプが、それぞれの近位端を、異なる垂直方向レベルの位置に有し、乗物が、埠頭に接岸されたフェリー上の３つの異なるレベルの入口の間で同時に積み込み（または陸揚げ）されてもよい。
【図面の簡単な説明】
【００１４】
【図１Ａ】いくつかの実施形態に係るフェリーの様々な態様の概略図である側面図である。
【図１Ｂ】いくつかの実施形態に係るフェリーの様々な態様の概略図である平面図である。
【図２Ａ】いくつかの実施形態に係る、フェリーの船首と船尾の少なくとも一方または両方の様々な態様の概略図であり、フェリー２０２の舳先（またはトランサム）を示すとともに例示的な下甲板入口１３０を示す図である。
【図２Ｂ】いくつかの実施形態に係る、フェリーの船首と船尾の少なくとも一方または両方の様々な態様の概略図であり、フェリー２０２の舳先（またはトランサム）を示すとともに例示的な下甲板入口１３０を示す図である。
【図２Ｃ】いくつかの実施形態に係る、フェリーの船首と船尾の少なくとも一方または両方の様々な態様の概略図であり、フェリー２０４の舳先（またはトランサム）を示す図である。
【図２Ｄ】いくつかの実施形態に係る、フェリーの船首と船尾の少なくとも一方または両方の様々な態様の概略図であり、フェリー２０４の舳先（またはトランサム）を示す図である。
【図３Ａ】いくつかの実施形態に係るフェリーの概略図である側面図である。
【図３Ｂ】いくつかの実施形態に係るフェリーの概略図である平面図である。
【図３Ｃ】いくつかの実施形態に係るフェリーの概略図であり、フェリー３００の最後部の背面図である。
【図４Ａ】いくつかの実施形態に係るフェリーの概略図である側面図である。
【図４Ｂ】いくつかの実施形態に係るフェリーの概略図である平面図である。
【図４Ｃ】いくつかの実施形態に係るフェリーの概略図であり、フェリー４００の最後部の背面図である。
【図５】いくつかの実施形態に係るフェリーの概略図である斜視図である。
【図６Ａ】いくつかの実施形態に係る、フェリーとともに働くように構成された埠頭の概略図である側面図である。
【図６Ｂ】いくつかの実施形態に係る、フェリーとともに働くように構成された埠頭の概略図である平面図である。
【図７Ａ】いくつかの実施形態に係るフェリーの概略図である側面図である。
【図７Ｂ】いくつかの実施形態に係るフェリーの概略図である平面図である。
【発明を実施するための形態】
【００１５】
ＲｏＲｏフェリーは、乗物が可浸甲板を含む１つ以上の甲板に出入りするのを可能にする１つ以上のランプを有していてもよい。可浸甲板に至るフェリーの入口は、下甲板への水の浸入を実質的に防止するために水線よりも上方の高い位置に配置されてもよい。場合によっては、フェリーは、一体的な連続する船体を有しており、入口と水線との間に密閉可能な乗物用ドアを有していない。密閉可能なドアを有していない連続する船体は、コストの削減と安全性の向上の少なくとも一方または両方を実現する場合がある。
【００１６】
様々な部材についてここで説明する。各部材を表す参照数字は、各図面間で概ね一定である。便宜上、特定の数字が様々な図において、他の部材の説明を容易にするように省略されている。任意の部材が他の任意の部材と組み合わされてもよい。任意の部材が他の部材の組合せから省かれてもよい。
【００１７】
図１Ａおよび図１Ｂは、いくつかの実施形態に係るフェリーの様々な態様の概略図である。図１Ａは側面図であり、図１Ｂは平面図である。一般的な命名法に従うと、フェリー１００（および本明細書で説明する他のフェリー）は、船首１０２と船尾１０４とを有する船体１０１を含んでいる。船首は舳先（prow）１０３を含み、船尾はトランサム（transom）１０５を含んでいる。フェリーは、左舷１０６と、右舷１０７と、左舷と右舷の中間にある船首から船尾までの中央線１０９と、を有している。左舷と右舷との間の船幅１０８は、フェリーの幅を表している。船幅１０８は、１０メートルから４５メートルの間の幅であってもよく、１８メートルから４０メートルの間の幅である場合も含む。船幅は、１５メートルよりも大きくてもよく、２０メートルよりも大きくてもよく、さらに２５メートルよりも大きくてもよい。
【００１８】
フェリーは、基線１１０と設計水線１２０（たとえば、フェリーが無荷重であるとき、標準荷重を輸送しているとき、または最大荷重を輸送しているときの予想水線）とを有している。喫水１１５は、基線１１０と水線１２０との間の垂直方向距離を表している。いくつかの実施形態では、喫水１１５は、４メートルよりも大きく、４．５メートルよりも大きい場合や、５．８メートルよりも大きい場合や、７メートルよりも大きい場合さえも含む。喫水は１０メートル未満であってもよい。
【００１９】
フェリーは、下甲板（たとえば不図示の可浸甲板）を含む１つ以上の甲板を有していてよい。下甲板よりも上方に配置された船体の下甲板入口１３０は、乗物が下甲板入口ランプ（不図示）を介して下甲板に出入りするのを可能にする。入口は、本明細書では、乗物が船体を通過するのに十分な開放「領域」を有しているにもかかわらず、水線１２０に最も近い入口の部分（たとえば入口の床）を使用して示される場合がある。フェリーのサイズ（たとえば、基線よりも上方の下甲板の高さや、下甲板よりも上方の上甲板がもしあればその上甲板の数）に応じて、下甲板入口１３０が水線１２０よりも上方に配置されることによって浸水の危険が低減する場合がある。
【００２０】
下甲板入口１３０は、喫水１１５の少なくとも５０％、好ましくは喫水１１５の少なくとも６０％であり、喫水１１５の少なくとも８０％の高さの場合を含む、水線１２０よりも上方の高さ１４０の位置に配置されていてもよい。高さ１４０は、喫水１１５よりも大きくてもよく、喫水１１５よりも２０％大きい高さ、または５０％大きい高さの場合も含む。高さ１４０は、喫水１１５の２倍であってもよい。下甲板入口１３０は、水線１２０よりも少なくとも２メートル上方、好ましくは少なくとも３メートル上方の位置に配置されていてよく、少なくとも４メートル上方の位置に配置されている場合も含む。下甲板入口１３０は、 乗物が自走してフェリーに乗り込み、下甲板入口ランプに沿って下甲板まで下るのに十分な幅（図１Ｂ）を有してもよい。いくつかの実施形態では、下甲板入口１３０は、トラックが走行する少なくとも２つの平行な車線に十分な幅を有している。下甲板入口１３０の幅は、少なくとも６メートルであってもよく、少なくとも８メートルの幅の場合を含んでいてよい。
【００２１】
いくつかの実施形態では、本明細書において説明するフェリー（たとえばフェリー１００）は、水線１２０の上方の高さ１４０よりも下方に、密閉可能な出入口（たとえば乗物用の出入口）を有していない。したがって、船体１０１自体は、水が下甲板３１０まで流れるのを可能にする高さ１４０よりも下方の入口を有していない。そのような入口がないので、このフェリーでは、（下甲板への出入りを可能にするために）開かれ、（水の浸入を防ぐために）閉じられる密閉可能なドアが不要であり、複雑さとコストが低減される。
【００２２】
下甲板入口１３０は、フェリーの船首と船尾の少なくとも一方または両方（たとえば舳先またはトランサム）に近接する位置を含む、船体の周りの様々な位置に配置されてもよい。例示的なフェリー１００では、下甲板入口１３０はトランサム１０４内に配置されている。下甲板入口１３０は、舳先１３０内に配置されてもよい。いくつかのフェリーは、１つの下甲板入口のみを有し、いくつかのフェリーはいくつかの下甲板入口を有している。複数の下甲板入口が１つの位置（たとえば船尾）に配置されてもよい。場合によっては、船尾が、（たとえばトランサムの所に）下甲板入口を含み、船首が、（たとえば舳先の所に）別の下甲板入口を含んでいる。様々な下甲板入口が、同じ高さ１４０の位置と異なる高さ１４０の位置の少なくとも一方または両方に位置していてもよい。
【００２３】
図２Ａ〜２Ｄは、いくつかの実施形態に係る、フェリーの船首と船尾の少なくとも一方または両方の様々な態様の概略図である。図２Ａおよび２Ｂは、フェリー２０２の舳先（またはトランサム）を示し、かつ例示的な下甲板入口１３０を示している。図２Ｃおよび２Ｄは、フェリー２０４の舳先（またはトランサム）を示している。分かりやすくするために、各入口は水線に最も近い表面によって示されている。
【００２４】
図２Ａ〜２Ｄは、中央線１０９に沿って見た（船首の前方から船尾側を見るかまたは船尾の後方から前方を見た）ときの舳先またはトランサムの例示的な立面図である。図２Ａ〜２Ｄは、（特に）フェリーの他の乗船／下船の地点と比較した下甲板入口の様々な構成を示している。
【００２５】
図３Ａ〜３Ｃに関してより詳しく説明するように、上甲板入口３２１は、下甲板よりも上方に配置された上甲板への出入りを可能にしてもよい。上甲板は、海に排水することのできる排水可能な甲板への入口であってよく、上甲板入口３２１に浸入した水は、下甲板ではなく海に排水されてもよい。上甲板入口３２１は、いくつかのシミュレーションでは、下甲板と流体連通していないので、浸水を生じさせずに水線１２０よりも下方に下降する場合がある。
【００２６】
下甲板入口１３０は、中央（右舷と左舷との間）に配置された状態と、中央線１０９に対して横方向に対称に配置された状態の少なくとも一方または両方の状態に配置されてもよく、したがって、下甲板入口１３０のいかなる部分も、予想される（シミュレートされた）傾斜状態の間、水線１２０よりも下方に下降することはない。図２Ａは、垂直オフセット量１３５によって示されているように、（この例では）上甲板入口３２１よりも下方に配置された下甲板入口１３０を有する実施形態を示している。図２Ｃは、垂直オフセット量１３５だけ上甲板入口よりも高い位置に配置された下甲板入口を有する実施形態を示している。下甲板入口と上甲板入口は同じ高さ１４０に配置されてもよい。垂直オフセット量１３５は、０．３ｍから３ｍの間であってもよく、０．５ｍから２ｍの間の場合を含んでもよく、０．７５ｍから１．５ｍの間の場合を含んでもよい。
【００２７】
下甲板入口１３０の幅としては、貨物の積み込みおよび安全性を最適化する幅（たとえば、シミュレートされた傾斜の間、浸水を防止する範囲で、できるだけ広い幅）が選択されてもよい。様々な仕様（たとえば国際海事機関ＩＭＯ）によれば、傾いた船（たとえば４０度の角度４０に傾いた船）は様々な手段を介して浸水に耐えるべきである。角度４０は、３０度から５０度の間の角度であってよく、３５度から４５度の間の角度を含んでもよく、４０度を含んでもよい。いくつかのフェリーでは、損傷許容性については、損傷時（たとえば傾斜時）に最低浮力を必要とする。図２Ａおよび２Ｂは、それぞれ直立位置および傾斜位置におけるフェリー２０２を比較している。図２Ｃおよび２Ｄは、それぞれ直立位置および傾斜位置におけるフェリー２０４を比較している。いくつかの実施形態では、本明細書において説明するフェリーは、フェリーが角度４０だけ傾いているときに（たとえば、図２Ｂおよび２Ｄのようなシミュレーションの間）水線よりも下方に配置される浸水点（たとえば入口１３０の一部）を有していない。図２Ｂおよび２Ｄに示されているように、下甲板入口１３０の最下点は、フェリーが角度４０だけ傾いているときに（たとえばシミュレーションの間）水線よりも距離２１０だけ上方に配置される。
【００２８】
下甲板入口の幅（側方の両界の間の幅）としては、様々な傾斜要件を満たす幅が選択されてよい。下甲板入口１３０とフェリーの側面との間の距離２２０としては、シミュレートされた１つ以上の傾斜角度と組合せられた、（特に）船幅１０８、高さ１４０、および下甲板入口１３０の所望の幅に応じて選択されてもよい。距離２２０は、船幅１０８の少なくとも１５％であってよく、好ましくは船幅１０８の少なくとも２０％であってよく、船幅１０８の少なくとも２５％の場合や船幅１０８の少なくとも３０％の場合を含んでいてもよい。いくつかの実施形態では、（たとえば図２Ｄのように）、下甲板入口は、上甲板入口の一部が水線よりも下方に位置するときでも、水線よりも上方に留まっていてもよく、下甲板への水の浸入を防止する。
【００２９】
図３Ａ〜３Ｃは、いくつかの実施形態に係るフェリーの概略図である。図３Ａは側面図であり、図３Ｂは平面図であり、図３Ｃは、フェリー３００の最後部の背面図を示している。フェリー３００は、下甲板入口ランプ３１２によって下甲板入口１３０に連結された下甲板３１０を含んでいる。いくつかの実装形態では、入口ランプは、（たとえば様々な高さに）移動可能であってよい。いくつかの実施形態では、固定の入口ランプを使用することが好ましい。固定の入口ランプは可動ランプよりも、建造コストの削減と、操作の容易化と、メンテナンスの軽減と、安全な実装のうちの少なくとも１つを可能にする場合がある。固定ランプは概して、可動ランプよりも耐損傷性が高い場合がある。（たとえば、ランプを上昇および下降させるために）機械を使用する必要がある可動ランプは、事故において損傷を受ける可能性があり、そのような損傷は陸揚げを妨げる可能性がある。固定の入口ランプは、特にフェリーが損傷したとき、部分的に沈んだとき、斜めになったとき、傾いたときなどに陸揚げを容易にする場合がある。
【００３０】
下甲板入口ランプ３１２は、勾配が水平から１８度を超えない、好ましくは１１度を超えない、好ましくは７度を超えないことが好ましい。下甲板３１０は、水線１２０の近くに配置されてもよい。場合によっては、下甲板が水線１２０よりも下方に位置している。いくつかのフェリーは、下甲板３１０を水線よりも上方に配置し、下甲板３１０よりも下方に密閉可能な部屋を形成することによって、少なくとも部分的に満たされる場合がある最低予備浮力要件を有する。下甲板３１０は、水線１２０よりも距離３１６だけ上方に配置されてよく、距離３１６は２メートル〜５メートルであり、２．５メートル〜３．５メートルである場合も含む。下甲板入口ランプ３１２の勾配および長さは、フェリーのサイズ、高さ１４０、距離３１６、およびランプを使用する乗物の種類に関連する所望の制限（たとえば最大勾配）に応じて選択されてよい。いくつかの実施形態では、下甲板入口１３０は、水線よりも上方の下甲板の距離３１６に合わせて選択された、水線１２０よりも上方の高さ１４０の位置に配置されてもよい（たとえば、高さ１４０は、下甲板と水線１２０との間の距離よりも大きく、その距離の２倍よりも大きい高さの場合や、その距離の３倍よりも大きい高さの場合を含む。下甲板３１０から下甲板入口１３０までの垂直方向距離（高さ１４０−距離３１６）は、１．５メートルよりも長くてもよく、２．５メートルよりも長くてもよく、３．５メートルよりも長くてもよく、または場合によっては４．５メートルよりも長くてもよい。いくつかの実施形態では、下甲板３１０から下甲板入口１３０までの垂直方向距離は、下甲板３１０から基線１１０までの垂直方向距離（距離３１６＋喫水１１５）の２５％よりも長く、その垂直方向距離の５０％よりも長い距離の場合や、その垂直方向距離の７５％よりも長い距離の場合や、その垂直方向距離の１００％よりも長い距離の場合や、その垂直方向距離の１２５％よりも長い距離の場合を含む。好ましい実施形態では、喫水１１５は、４メートル〜１１メートルであってよく、距離３１６は、２メートル〜４メートルであってよく、下甲板入口１３０は、下甲板よりも少なくとも２メートル上方、好ましくは少なくとも３メートル上方に位置している。
【００３１】
フェリーは、下甲板よりも上方に配置された１つ以上の上甲板を含んでいてもよい。上甲板は、可浸性を有さない甲板であってよく、水が重力によって海に流出できる排水可能な甲板であってもよい。例示的なフェリー３００は、第１の上甲板３２０と第２の上甲板３３０とを含んでいる。上甲板３２０は、（この例では船尾に配置された）上甲板入口３２１に、上甲板ランプ３２２によって連結されている。上甲板３３０は、（この例では）上甲板ランプ３３２によって上甲板入口３２１に連結されている。上甲板入口ランプは傾斜する必要がない（たとえば、上甲板入口がそれぞれの上甲板と実質的に同じレベルに位置している）。上甲板入口ランプは、それぞれの上甲板からそれぞれの上甲板入口まで下向きに傾斜していてもよい。いくつかの実施形態では、第１の上甲板と第２の上甲板は同じ上甲板入口を使用してもよい。場合によっては、様々な上甲板がそれぞれに異なる入口を使用する。上甲板入口ランプは移動可能であってもよい。入口ランプは固定ランプであることが好ましい。
【００３２】
甲板同士の間の距離３２６および３３６は、予定される乗物高さに応じて選択されてもよい。例示的な実施形態では、距離３２６および３２６の各々は、トラックおよびトレーラにとって十分な距離であってよく、したがって、１つの甲板の床と上方の天井との間に少なくとも４．４メートルの自由高さを形成してもよい。場合によっては、甲板（たとえば上甲板）の上方の自由高さは、（３メートル以下の）軽量自動車を収容する大きさであってもよい。甲板は、１つ以上の任意のアクセスランプ３１４に連結されてもよい。アクセスランプは、下方の甲板上の乗物が上方の甲板まで昇るのを可能にするサイズ（たとえば、幅、長さ、位置、勾配）を有していてもよく、フェリー内の円滑な通行を容易にするように様々な位置に配置されていてよい。図３Ｂに示されているように、アクセスランプ３１４はフェリーの側面に配置されてもよい。
【００３３】
フェリーは、すべてが一方の端部（たとえば船首または船尾）に配置されてもよい複数の入口および入口ランプを含んでいてもよい。図３Ｂに示されているように、フェリー３００において、上甲板３２０は、各々が別個の上甲板入口３２１に連結された２つの上甲板入口ランプ３２２を介して出入りされてもよい。同様に、上甲板３３０は、各々が別個の上甲板入口３２１に連結された２つの上甲板入口ランプ３３２を介して出入りされてもよい。入口（たとえば左舷入口または右舷入口）は、２つ以上の上甲板への出入りを可能にしてもよい。ある構成では、下甲板入口１３０が中央に配置され、上甲板入口３２１が両側に配置され、各上甲板入口３２１が、上甲板ランプ３２２および上甲板ランプ３３２への出入りを可能にする。場合によっては、左舷入口は、１つの上甲板への出入りを可能にし、右舷入口は、別の上甲板への出入りを可能にする。上甲板入口は、下甲板入口と同じ高さに位置してもよい。上甲板入口は、垂直オフセット量１３５によって示されているように、下甲板入口の高さとは異なる高さに位置していてもよい。防水障壁１４２は、水が（たとえば上甲板ランプ３２２から）下甲板３１０上に流れるのを防止できる。
【００３４】
フェリーは、（たとえばプロペラやウォータージェットなどによって）フェリー上で推進力を発生するように構成された往復機関やタービンなどを有していてもよい推進システム３４２を含んでいてもよい。いくつかの実施形態では、推進システム（たとえばウォータージェット、または図３Ａに示されているようなポッド型プロペラ３４４）は、横方向の推進力を発生するように構成されていてもよい。フェリーは、（たとえば反対方向に回転する）複数の同軸プロペラを有していてもよい。（たとえば船尾における）顕著な横方向の推進力は、フェリーの回転半径を小さくする場合があり、フェリーを迅速に「方向転換」させて（たとえば）埠頭に戻るのを可能にする。一方の端部（たとえば船尾）にオンロード（積み込み）／オフロード（陸揚げ）のランプと、高速の方向転換を可能にする推進システムとを有するフェリーは、目的地まで航行して迅速に方向転換し、陸揚げのために埠頭に戻ることが可能であってもよい。いくつかの応用例では、そのような構成は、船首および船尾の積み込み入口の必要性を低減させて、構成を簡略化し、しかも、港湾における十分に高速な方向転換時間を実現する場合がある。いくつかの実施形態では、フェリーは、中央に配置された大形の軸方向駆動プロペラと、両側のポッド型プロペラとを含んでいる。
【００３５】
ランプとそれに組み合わされた入口が積み込みと陸揚げの少なくとも一方に使用されてもよい。場合によっては、ランプとそれに組み合わされた入口が、積層と陸揚げの両方に使用されてもよい。いくつかのフェリーは、乗物が（たとえばバックせずに）方向転換するのを可能にし、それによって同じ入口を乗船と下船に使用するのを可能にする場合がある方向転換ゾーン３３４を含んでいる。方向転換ゾーン３３４の直径は、１２ｍよりも大きくてもよく、１４ｍよりも大きい場合も含む。
【００３６】
図４Ａ〜４Ｃは、いくつかの実施形態に係るフェリーの概略図である。図４Ａは側面図を示し、図４Ｂは平面図を示し、図４Ｃは、フェリー４００の最後部の背面図を示している。フェリー４００は、天然ガス（たとえばメタンやエタンなど）によって駆動される推進システム３４２を含んでいる。好ましくは、天然ガスは、液化天然ガス（ＬＮＧ）として供給され貯蔵されてもよい。フェリー４００は、１つ以上のプロペラと１つ以上のウォータージェットの少なくとも一方または両方を駆動するように構成されたＬＮＧ機関４１０を含んでいる。ＬＮＧ燃料補給ステーション４２０は、（たとえばトラックによって）トレーラに積まれて配送されたＬＮＧタンクを収容するために、燃料補給ランプによって甲板（この場合は上甲板３２０）に連結されてもよい。ＬＮＧ燃料補給ステーション４２０は、ＬＮＧトレーラに取外し可能に連結されてＬＮＧをトレーラから機関４１０に搬送できる取外し可能なＬＮＧ燃料補給連結部４３０を含んでいてもよい。ＬＮＧ通気マスト（LNG vent mast）４５０は、（たとえば貯蔵中に）過剰なＬＮＧの排出を可能にしてもよい。
【００３７】
ＬＮＧ燃料補給ランプは、甲板からＬＮＧ燃料補給ステーション４２０に向かって移動する方向に上昇してもよい。好ましい実施形態では、トラックおよびＬＮＧトレーラは、自走して入口ランプを介してフェリー４００に乗船し、次いでバックしてＬＮＧ燃料補給ランプ４４０を介してＬＮＧ燃料補給ステーション４２０まで昇る。ＬＮＧトレーラは、トラックから取り外しでき、トラックはフェリーから下船できる。そのような構成は、空のＬＮＧトレーラと満杯のＬＮＧトレーラとの効率的な「交換」を可能にする場合があり、船内の（たとえば内部の）ＬＮＧ貯蔵タンクを不要にすることがある。燃料補給ステーション４２０は複数の壁４２２を有していてもよい。壁４２２は、ＬＮＧトレーラを、特に傾斜と突然の停止の少なくとも一方または両方に対して安定化させるように（たとえばストラップまたはチェーンによって）構成されていてもよい。壁４２２は、防爆機能と耐火機能の少なくとも一方または両方を有していてもよく（たとえば火災または爆発の際にガスをフェリー４００から逃がす）、それによって、容器に収容された内部ＬＮＧタンクと比べて安全性を向上できる。
【００３８】
ＬＮＧ燃料タンクを交換する方法は、満杯のＬＮＧタンクをトレーラ上に供給することと、タンク内の燃料を使用することと、空のＬＮＧタンクにトラックを取り付け直して空のＬＮＧタンクを取り外すことと、空のＬＮＧタンクを満杯のＬＮＧタンクと交換することとを含んでもよい。
【００３９】
図５は、いくつかの実施形態に係るフェリーの概略図である。図５は斜視図を示している。フェリー５００は、下甲板３１０（不図示）と、上甲板３２０と、第２の上甲板３３０とを含んでいる。上甲板は、左舷および右舷の上甲板入口３２１に至る左舷および右舷の上甲板入口ランプ３２２および３３２を介して出入りされる。下甲板３１０は、下甲板入口１３０から下甲板入口ランプ３１２を介して出入りされる。上甲板入口３２１は、下甲板入口１３０から垂直オフセット量１３５だけずれた位置に配置されている。ＬＮＧ燃料補給ステーション４２０（不図示）は、ＬＮＧ燃料補給ランプ４４０と通気マスト４５０とを含んでいる。
【００４０】
図６Ａおよび６Ｂは、いくつかの実施形態に係る、フェリーとともに働くように構成された埠頭の概略図である。図６Ａは側面図を示し、図６Ｂは平面図を示している。積み込みおよび陸揚げを容易にするために、埠頭は、本明細書において説明する様々なフェリーとその他のフェリーの少なくとも一方または両方と一体化するように構成されてもよい。埠頭６０２は、フェリー（たとえばフェリー６００）上の対応する入口とはめ合うように構成可能な積み込みランプを含んでいてもよい。埠頭６０２は、乗物を下甲板入口まで搬送するように構成された第１の積み込みランプ６１０と、乗物を上甲板入口まで搬送するように構成された第２の積み込みランプ６２０とを含んでもよい。積み込みランプ６１０および６２０は、 入口同士の間でそれぞれの垂直オフセット量１３５（図３）に調整されるように構成可能であってもよい。積み込みランプ６１０と積み込みランプ６２０は、（フェリーに対する）各遠位端が同じレベル（たとえば埠頭６０２の道路のレベル）にあってもよく、異なるレベルにあってもよい。例示的な埠頭は、１つ以上の積み込みランプ６１０と１つ以上の積み込みランプ６２０とを有していてよい。各積み込みランプの（フェリーに対する）近位端は、（たとえば垂直オフセット量１３５（図３）だけ互いに対して垂直方向に変位させられた）異なるレベルに位置していてもよい。一実施形態では、各積み込みランプは、道路のレベルにある各遠位端と、垂直オフセット量１３５によってずらされた（フェリーに近い）各近位端とを有する固定ランプであり、場合によっては、各ランプを異なるレベルに調整することができる。いくつかの実装形態では、埠頭６０２は、１つの甲板入口に至る２つの積み込みランプと、別の甲板入口に至る１つの積み込みランプとを含んでいる。
【００４１】
埠頭に接岸されたフェリーに乗物を載せたり降ろしたりするための埠頭は、第１および第２の積み込みランプ（と任意に追加の積み込みランプ）を有していてよい。第１の積み込みランプは、フェリーの入口に実質的に整合する（すなわち乗物がフェリーと積み込みランプとの間を走行できるような誤差内で整合する）ように構成された近位端（６１１）を有していてもよい。第１の積み込みランプの近位端は、第１の高さ（たとえば埠頭の下方の水から上方に少なくとも３メートルの高さ）に位置してもよく、好ましくは少なくとも４メートルの高さに位置してもよく、好ましくは少なくとも６メートルの高さに位置してもよい。第２の積み込みランプは、いくつかの実施形態では、第１の積み込みランプの近位端（６１１）に対して実質的に隣接しているかまたは横方向に変位している場合がある近位端（６２１）を有していてよい。通常、乗物は、第１の積み込みランプと第２の積み込みランプを同時に使用してもよい。第１の積み込みランプの近位端と第２の積み込みランプの近位端は、垂直オフセット量（１３５）（図２ａ〜２ｄ）だけ、垂直方向に互いにずれていてもよく、垂直オフセット量（１３５）は、少なくとも０．５メートルであり、好ましくは少なくとも１メートルであり、好ましくは少なくとも１．５メートルであり、好ましくは少なくとも２メートルであり、好ましくは少なくとも３メートルである。埠頭は、第３の積み込みランプ（またはそれよりも多い積み込みランプ）を有していてもよい。第３の積み込みランプは、垂直オフセット量（１３５）だけ、第１および第２の積み込みランプの近位端の少なくとも一方から垂直方向にずらされている場合がある、乗物をフェリーに載せるように構成されたランプ自体の近位端を有していてもよく、垂直オフセット量（１３５）は、少なくとも０．５メートル、好ましくは少なくとも１メートル、好ましくは少なくとも１．５メートルである。この場合、第３の積み込みランプの近位端は、第１および第２の積み込みランプの近位端の少なくとも一方と隣接している。第１および第２の積み込みランプの近位端は、第１の垂直オフセット量（１３５）だけずれていてよく、第２および第３の積み込みランプの近位端は、第２の垂直オフセット量（１３５）だけずれている。第１および第２の垂直オフセット量の値は、互いの５％以内であってよい。第１の垂直オフセットの値と第２の垂直オフセット量の値は、互いに０．５メートルよりも大きい値、好ましくは１メートルよりも大きい値、好ましくは２メートルよりも大きい値だけ異なっていてよい。
【００４２】
図６Ｂに示されているように、乗物が様々な甲板に同時に出入りしてよい。例示的な埠頭６０２において、各通行車線が至る甲板は各積み込みランプの左側に示されている。一構成では、各乗物は、３つの異なる甲板に同時に出入りしてもよい。場合によっては、乗船する乗物は第１の入口（たとえば頂部積み込みランプ６２０とそれと組み合わされた上甲板入口３２１）を介してフェリーに乗船し、一方、下船する乗物は、第２の入口（たとえば他の上甲板入口３２１を介した底部積み込みランプ６２０）を介して陸揚げされる。方向転換ゾーンは、バックせずに積み込みおよび陸揚げを可能にでき、ランプ（たとえば下甲板入口ランプ３１２）の一方の側が積み込みに使用され、他方の側が陸揚げに使用されるのを可能にしてもよい。フェリー６００は、アクセスランプ３１４の別の位置（この場合、フェリー６００の中間点に近い位置）を示している。
【００４３】
図７Ａおよび７Ｂは、いくつかの実施形態に係るフェリーの概略図である。図７Ａは側面図を示し、図７Ｂは平面図を示している。例示的なフェリー７００は、下甲板３１０と上甲板３３０とを含んでいる。各甲板は、船首入口および船首入口を介して出入りされてもよい。船尾の下甲板ランプ３１２は、船尾の下甲板入口１３０を下甲板３１０に連結しており、前方の下甲板ランプ３１２は前方の下甲板入口１３０を下甲板３１０に連結している。船尾の上甲板ランプ３３２は、船尾の上甲板入口３１２を上甲板３３０に連結しており、前方の上甲板ランプ３３２は前方の上甲板入口３２１を上甲板３３０に連結している。
【００４４】
前方および船尾の入口は、 図７Ｂの黒い矢印によって概略的に示されているように実質的に一方向の通行を可能にしてもよい。各乗物は、一方の入口を介して入り、他方の入口を介して出てもよい。
【００４５】
いくつかの実施形態では、前方の入口は、対応する船尾の入口よりも高い位置にあり、それによって通過時に接近する波に対する耐波性が向上する場合がある。例示的なフェリー７００では、前方の下甲板入口１３０は、水線よりも上方において船尾の下甲板入口１３０よりも高い位置にある。舳先は、接近する波を前方の下甲板入口１３０から遠ざけるような形状を有してもよい。例示的なフェリー７００では、下甲板入口１３０は、船尾において上甲板入口３２１よりも下方に位置し、下甲板入口１３０は、船首において上甲板入口３２１よりも上方に位置している。
【００４６】
上記の説明は例示的なものであり、制限的なものではない。当業者には、本開示を検討したときに本発明の多くの変形例が明らかになるであろう。したがって、本発明の範囲は、上記の説明を参照して決定されるべきではなく、その代わりに、添付の特許請求の範囲をその全範囲の均等物とともに参照して決定されるべきである。
【図１Ａ】
2016534921.tif 000003
【図１Ｂ】
2016534921.tif 000004
【図２ａ】
2016534921.tif 000005
【図２ｂ】
2016534921.tif 000006
【図２ｃ】
2016534921.tif 000007
【図２ｄ】
2016534921.tif 000008
【図３Ａ】
2016534921.tif 000009
【図３Ｂ】
2016534921.tif 000010
【図３Ｃ】
2016534921.tif 000011
【図４Ａ】
2016534921.tif 000012
【図４Ｂ】
2016534921.tif 000013
【図４Ｃ】
2016534921.tif 000014
【図５】
2016534921.tif 000015
【図６Ａ】
2016534921.tif 000016
【図６Ｂ】
2016534921.tif 000017
【図７Ａ】
2016534921.tif 000018
【図７Ｂ】
2016534921.tif 000019
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
舳先（１０３）を含む船首（１０２）と、トランサム（１０５）を含む船尾（１０４）とを有する船体（１０１）であって、左舷（１０６）と、右舷（１０７）と、前記左舷と前記右舷との間の船幅（１０８）と、基線（１１０）と、設計水線（１２０）と、前記基線と前記設計水線との間の喫水（１１５）とを有し、前記喫水は、４．５メートルよりも大きい、船体（１０１）と、
前記船体内の下甲板（３１０）と、
前記設計水線よりも上方の高さ（１４０）に配置された、前記船体内の下甲板入口（１３０）であって、前記高さ（１４０）は、少なくとも３メートルであり、かつ前記喫水の５０％よりも大きい、下甲板入口（１３０）と、
水平方向から１８度以下の勾配を有し、前記下甲板入口を前記下甲板に連結する下甲板入口ランプ（３１２）と、を有するフェリー（１００，２０２，２０４，３００，４００，５００，６００，７００）。
【請求項２】
前記船体は、前記下甲板入口と前記設計水線との間に位置する、乗物が出入りする密閉可能な出入口を有していない、請求項１に記載のフェリー。
【請求項３】
前記船幅は、１５メートルよりも大きく、
前記下甲板入口は、前記フェリーに設計荷重が積み込まれ、傾斜角度（４０）での横揺れを受けるシミュレーション中に判定されたシミュレートされた水線に配置されるかまたはそれよりも上方に配置され、前記傾斜角度は、３０度から５０度の間である、請求項１または２に記載のフェリー。
【請求項４】
前記下甲板入口のいかなる部分も、左舷および右舷から、前記船幅の１５％である距離内には位置していない、請求項１から３のいずれか１項に記載のフェリー。
【請求項５】
前記下甲板よりも少なくとも４．４メートル上方に配置された少なくとも１つの第１の上甲板（３２０）と、
前記船体内の第１の上甲板入口（３２１）と、
前記第１の上甲板入口を前記上甲板に連結する第１の上甲板入口ランプ（３２２）と、をさらに有する、請求項１から４のいずれか１項に記載のフェリー。
【請求項６】
前記船体内の第２の上甲板入口（３２１）と、
前記第２の上甲板入口を前記第１の上甲板に連結する第２の上甲板入口ランプ（３２２）と、をさらに有する、請求項５に記載のフェリー。
【請求項７】
前記第１の上甲板入口は、前記下甲板入口の左舷に配置され、前記第２の上甲板入口は、前記下甲板入口の右舷に配置されている、請求項６に記載のフェリー。
【請求項８】
前記下甲板入口は、少なくとも０．５ｍである垂直オフセット量（１３５）だけ、少なくとも１つの上甲板入口から離れている、請求項５から７のいずれか１項に記載のフェリー。
【請求項９】
前記下甲板入口は、前記上甲板入口よりも低い位置にある、請求項８に記載のフェリー。
【請求項１０】
前記第１の上甲板よりも少なくとも４．４ｍ上方に配置された第２の上甲板（３３０）と、
前記第２の上甲板を前記船体内の前記第１の上甲板入口に連結する第２の上甲板入口ランプ（３３２）と、をさらに有する、請求項５から９のいずれか１項に記載のフェリー。
【請求項１１】
天然ガスによって駆動される機関（４１０）と、
トレーラ上の液化天然ガス（ＬＮＧ）燃料タンクを収容し、ＬＮＧを前記燃料タンクから前記機関に搬送するように構成された燃料補給ステーション（４２０）と、
前記燃料タンクを前記燃料補給ステーションに連結するように構成された、取外し可能なＬＮＧ燃料補給連結部（４３０）と、
前記燃料補給ステーションを少なくとも１つの甲板に連結する燃料補給ランプ（４４０）と、をさらに有する、請求項１から１０のいずれか１項に記載のフェリー。
【請求項１２】
前記燃料補給ランプは、前記甲板への前記入口に向かって移動するにつれて前記甲板から前記燃料補給ステーションに向かって上昇する、請求項１１に記載のフェリー。
【請求項１３】
乗物を、請求項５から１２のいずれか１項に記載のフェリーの前記下甲板入口まで搬送するように構成された第１の積み込みランプ（６１０）と、
乗物を、請求項５から１２のいずれか１項に記載のフェリーの前記上甲板入口まで搬送するように構成された第２の積み込みランプ（６２０）と、を有する埠頭。
【請求項１４】
埠頭に接岸されたフェリーへの乗物の積み込みおよび陸揚げを行うための埠頭（６０２）であって、
前記埠頭の下方の水位よりも、少なくとも３メートル上方である第１の高さに近位端（６１１）を有する第１の積み込みランプ（６１０）と、
前記第１の積み込みランプの前記近位端（６１１）に隣接して配置された近位端（６２１）を有する第２の積み込みランプであって、それによって、乗物が、前記第１の積み込みランプと前記第２の積み込みランプを同時に使用する場合がある、第２の積み込みランプ（６２０）と、を有し、
前記第１の積み込みランプの前記近位端と前記第２の積み込みランプの前記近位端は、少なくとも０．５ｍである垂直オフセット量（１３５）だけ垂直方向に互いにずれている、埠頭。
【請求項１５】
前記第１および第２の積み込みランプの前記近位端の少なくとも一方から、少なくとも０．５ｍである垂直オフセット量（１３５）だけ、垂直方向にずれている近位端を有する第３の積み込みランプ（６２０）をさらに有する、請求項１４に記載の埠頭。
【国際調査報告】
2016534921.tif 000020
2016534921.tif 000021
2016534921.tif 000022